(57)【要約】【課題】  水槽の底面部の排水口付近に汚れやぬめりが付着し難く、ひいては排水口付近の清掃が容易で且つ排水口からの悪臭の発生を抑えることのできるキッチン用のシンク。【解決手段】  水槽の底面部（３ａ）に設けられる排水口本体（５）を備えたキッチン用のシンク。排水口本体は、底面部と一体に金属プレスにより成形されている。排水口本体には、その下端の開口部をほぼ水平に塞ぐための底皿部（８）が着脱自在に取り付けられ、底皿部には排水口が設けられている。底皿部の上側表面は、排水口本体と同種の金属により覆われている。底皿部の下端には、封水部の上端が接続されている。【選択図】  図４
2005179950.tif 000002
【特許請求の範囲】
【請求項１】
水槽と、該水槽の底面部に設けられる排水口本体とを備えたキッチン用のシンクにおいて、
前記排水口本体は、前記底面部と一体に金属プレスにより成形されていることを特徴とするシンク。
【請求項２】
前記排水口本体には、その下端の開口部をほぼ水平に塞ぐための底皿部が着脱自在に取り付けられ、
前記底皿部には、排水口が設けられていることを特徴とする請求項１に記載のシンク。
【請求項３】
前記底皿部の上側表面は、前記排水口本体と同種の金属により覆われていることを特徴とする請求項２に記載のシンク。
【請求項４】
前記底皿部の下端には、封水部の上端が接続されていることを特徴とする請求項２または３に記載のシンク。
【発明の詳細な説明】
【技術分野】
【０００１】
本発明は、キッチン用のシンクに関し、特にシステムキッチンや流し台のシンクの排水口の構造に関するものである。
【背景技術】
【０００２】
従来、システムキッチンや流し台のシンク（以下、「キッチン用のシンク」という）では、たとえばステンレス鋼により形成された水槽の底面部に、樹脂により形成された大型トラップを取り付けるのが一般的であった。
【発明の開示】
【発明が解決しようとする課題】
【０００３】
しかしながら、上述のような従来技術では、樹脂製トラップのフランジと金属製水槽の底面部との継ぎ目の段差部分に汚れが付着し易く且つ清掃し難いという不都合があった。また、樹脂製トラップは内面に汚れやぬめりが付着し易く、特に排水口付近の汚れやぬめりに起因して悪臭が発生し易いという不都合があった。また、従来から衛生性や汚れを防止する観点から、水槽底面に一体に金属プレスして排水口本体の全体を成形することが望まれていたが、特に底部の成形が困難であることから、プレス後の底部の成形について解決策が必要となっていた。
【０００４】
本発明は、前述の課題に鑑みてなされたものであり、水槽の底面部の排水口付近に汚れやぬめりが付着し難く、ひいては排水口付近の清掃が容易で且つ排水口からの悪臭の発生を抑えることのできるキッチン用のシンクを提供することを目的とする。
【課題を解決するための手段】
【０００５】
前記課題を解決するために、本発明では、水槽と、該水槽の底面部に設けられる排水口本体とを備えたキッチン用のシンクにおいて、
前記排水口本体は、前記底面部と一体に金属プレスにより成形されていることを特徴とするシンクを提供する。
【０００６】
本発明の好ましい態様によれば、前記排水口本体には、その下端の開口部をほぼ水平に塞ぐための底皿部が着脱自在に取り付けられ、前記底皿部には、排水口が設けられている。この場合、前記底皿部の上側表面は、前記排水口本体と同種の金属により覆われていることが好ましい。また、前記底皿部の下端には、封水部の上端が接続されていることが好ましい。
【発明の効果】
【０００７】
本発明では、水槽の底面部に設けられる排水口本体が、水槽の底面部と一体に金属プレスにより成形されている。その結果、水槽の底面部と排水口本体との間に継ぎ目がなく、排水口本体が金属により形成されているので、水槽の底面部の排水口付近に汚れやぬめりが付着し難く、ひいては排水口付近の清掃が容易で且つ排水口からの悪臭の発生を抑えることができる。
【０００８】
なお、排水口本体にはその下端の開口部をほぼ水平に塞ぐための底皿部が着脱自在に取り付けられ、底皿部には排水口が設けられている構成を採用することにより、底皿部を容易に取り外して排水口本体の清掃がし易くなるだけでなく、トラップの封水部の清掃もし易くなる。
【０００９】
また、底皿部の上側表面を排水口本体と同種の金属により覆う構成を採用することにより、排水口本体の底部分においても汚れやぬめりが付着し難くなり、排水口からの悪臭の発生をさらに良好に抑えることができる。排水口本体の底部に同種の金属により覆われた底皿部を取り付ける構造としたので、水槽底面に一体に金属プレスし且つ内面が金属製の排水口本体を構成することができる。
【発明を実施するための最良の形態】
【００１０】
本発明の実施形態を、添付図面に基づいて説明する。
図１は、本発明の実施形態にかかるシステムキッチンの構成を概略的に示す図である。また、図２および図３は、シンク周りの構成を概略的に示す図である。また、図４は、シンクの排水口本体の構成を概略的に示す図である。また、図５は、排水口本体にＳ字トラップが接続されている様子を示す図である。
【００１１】
図１を参照すると、本実施形態のシステムキッチンＳは、床Ｆの上に載置されたベースキャビネット１を備えている。ベースキャビネット１の上部には、システムキッチンＳに向かって左側から順に、たとえばＩＨまたはガスコンロが設けられた加熱調理部２とシンク３とが間隔を隔てて設けられている。また、シンク３に隣接して、たとえば湯水混合型の水栓４が設けられている。
【００１２】
図２〜図５を参照すると、本実施形態のシンク３では、水槽の底面部３ａに排水口本体５が設けられている。排水口本体５は、たとえばステンレス鋼により底面部３ａと一体に金属プレスにより成形されている。排水口本体５の上側開口部は、公知の構成を有する蓋部材６により随時覆われるように構成されている。
【００１３】
また、蓋部材６の下方において排水口本体５の内部には、ゴミなどを補足するためのゴミ受けストレーナー７が着脱自在に設けられている。さらに、排水口本体５には、その下端の開口部をほぼ水平に塞ぐための底皿部８が着脱自在に取り付けられ、底皿部８には排水口８ｃが設けられている。なお、底皿部８の排水口本体５への取付けについては後述する。
【００１４】
また、特に図３に明瞭に示されているように、底皿部８の排水口８ｃには、下側から順に、パッキング７ａ、キャッチャー７ｂ、および封止部材７ｃが取り付けられている。ここで、キャッチャー７ｂは、ゴミ受けストレーナー７を取り外したときに比較的大きなゴミなどが底皿部８を通過して外部へ流出するのを防止するためにゴミなどを補足する。また、封止部材７ｃは、通水時には取り外されているが、シンク３の内部に水を溜めたいときには取り付けられて底皿部８の排水口８ｃを介した水の流出を封止する。
【００１５】
底皿部８は、下側が筒状で上側がフランジ状の形態を有する底皿部本体８ａを備えている。そして、底皿部８の上側表面は、排水口本体５と同種の金属すなわちステンレス鋼のプレート８ｂにより覆われている。また、たとえば樹脂製の底皿部本体８ａの下端には、封水部を有するＳ字トラップ９（図３では不図示）の上端が接続されている。さらに、Ｓ字トラップ９の下端には、排水管１０（図３では不図示）の上端が接続されている。
【００１６】
図３および図４に明瞭に示すように、底皿部８は、底皿部本体８ａの外側面に刻設されたねじに螺合する取付部材１１の作用により、排水口本体５に着脱自在に取り付けられている。具体的には、底皿部本体８ａのフランジと排水口本体５との間にパッキング１２を介在させた状態で取付部材１１を締め込むことにより、底皿部８が排水口本体５に取り付けられている。
【００１７】
換言すれば、取付部材１１の締め込みを緩めて底皿部本体８ａから取り外すことにより、底皿部８を排水口本体５から容易に取り外すことができる。この場合、排水口本体５から取り外された底皿部８は、排水口本体５を介して上方へ引き上げられ、シンク３の内部から外側へ抜けることになる。この状態では、排水口本体５の下端およびＳ字トラップ９の上端へのアクセスが容易である。
【００１８】
以上のように、本実施形態では、シンク３の水槽の底面部３ａに設けられる排水口本体５が、水槽の底面部３ａと一体に金属プレスにより成形されている。その結果、水槽の底面部３ａと排水口本体５との間に継ぎ目がなく、排水口本体５が金属により形成されているので、水槽の底面部３ａの排水口付近に汚れやぬめりが付着し難く、ひいては排水口付近の清掃が容易で且つ排水口からの悪臭の発生を抑えることができる。
【００１９】
また、本実施形態では、排水口本体５に、その下端の開口部をほぼ水平に塞ぐための底皿部８が着脱自在に取り付けられ、底皿部８には排水口８ｃが設けられている。したがって、上述したように取付部材１１の作用により底皿部８を容易に取り外して、排水口本体５の清掃がし易くなるだけでなく、Ｓ字トラップ９の封水部の清掃もし易くなる。
【００２０】
また、本実施形態では、底皿部８の上側表面が、排水口本体５と同種の金属により覆われている。したがって、排水口本体５の底部分においても汚れやぬめりが付着し難くなり、排水口からの悪臭の発生をさらに良好に抑えることができる。
【００２１】
また、本実施形態では、底皿部８（底皿部本体８ａ）の下端に封水部としてのＳ字トラップ９の上端が接続されているので、たとえばベルトラップの場合とは異なり、シンク３の下方の収納スペースを大きく確保することができる。
【００２２】
なお、本実施形態では、図１に示す構成を有するシステムキッチンのシンクに対して本発明を適用しているが、他の一般的なシステムキッチンや流し台のシンクに対しても本発明を適用することができる。
【図面の簡単な説明】
【００２３】
【図１】本発明の実施形態にかかるシステムキッチンの構成を概略的に示す図である。
【図２】シンク周りの構成を概略的に示す第１の図である。
【図３】シンク周りの構成を概略的に示す第２の図である。
【図４】シンクの排水口本体の構成を概略的に示す図である。
【図５】排水口本体にＳ字トラップが接続されている様子を示す図である。
【符号の説明】
【００２４】
Ｓ  システムキッチン
Ｆ  床
１  ベースキャビネット
２  加熱調理部
３  シンク
４  水栓
５  排水口本体
６  蓋部材
７  ゴミ受けストレーナー
８  底皿部
９  Ｓ字トラップ
１０  排水管
１１  取付部材
１２  パッキング
【図１】
2005179950.tif 000003
【図２】
2005179950.tif 000004
【図３】
2005179950.tif 000005
【図４】
2005179950.tif 000006
【図５】
2005179950.tif 000007